(57)【要約】【課題】簡単な組み付け作業のみでヨーク本体の周壁上において補助ヨークが移動しない電動モータを提供する。【解決手段】電動モータ１０のヨーク本体１３の周壁に係止開口１３ｄを設けると共に、補助ヨーク１４の周壁に係止開口１３ｄ方向へ向けて変形可能な変形帯部１４ｄを設け、この変形帯部１４ｄを、ヨーク本体１３及び補助ヨーク１４を相互に嵌合した状態で押圧変形して係止開口１３ｄ内に没入させて補助ヨーク１４をヨーク本体１３に固定するようにした。また、係止開口１３ｄと変形帯部１４ｄとを対向させるようにヨーク本体１４に当接して補助ヨークの１４の移動を停止するストッパ部１４ｆを補助ヨーク１３に設けた。【選択図】　図１
2004112880.tif 000002
【特許請求の範囲】
【請求項１】
永久磁石と、該永久磁石を内側壁に沿わせて保持する筒状のヨークとを有する電動モータであって、
前記ヨークは、一端に底部を一体に設けた有底筒状のヨーク本体と、該ヨーク本体の周壁に沿って嵌合される筒状の補助ヨークとを備え、前記ヨーク本体又は該補助ヨークのうち、一方の周壁には、係止開口が形成され、前記ヨーク本体又は前記補助ヨークの他方の周壁には、前記係止開口方向へ向けて変形可能な変形帯部が形成され、該変形帯部は、前記ヨーク本体および前記補助ヨークが相互に嵌合された状態で前記係止開口内に没入するように押圧変形されることを特徴とする電動モータ。
【請求項２】
前記補助ヨーク又は、前記ヨーク本体のうち少なくとも何れか一方には、前記係止開口に前記変形帯部が対向する相対位置で、他方に対して当接して移動を停止させるストッパ部が設けられていることを特徴とする請求項１記載の電動モータ。
【請求項３】
前記変形帯部には、前記係止開口の周縁に摺接して、前記ストッパ部の当接方向に押圧力を付勢する傾斜辺が設けられていることを特徴とする請求項２の電動モータ。
【請求項４】
有底筒状のヨーク本体に、筒状の補助ヨークを、該ヨーク本体の周壁に沿って嵌合させる際、前記ヨーク本体に対して、前記補助ヨークを相対回転させて、前記ストッパ部を他方に対して当接させることにより、前記変形帯部を、前記係止開口に対向させて、該係止開口内に没入するように押圧変形させることを特徴とする請求項２記載の電動モータの製造方法。
【発明の詳細な説明】
【０００１】
【発明の属する技術分野】
本発明は電動モータ及び電動モータの製造方法に関するものであり、この電動モータは、例えば、自動車室内の冷暖房等を行う自動車用空調機の送風ファンを回転駆動するため等に利用されるものである。
【０００２】
【従来の技術】
従来のものとしては、図１７に示すような電動モータ１が知られている（例えば、特許文献１参照）。
【０００３】
この電動モータ１は、磁束を発生する永久磁石２、２と、この永久磁石２を内側壁に沿わせて保持する筒状のヨーク３とを有している。
【０００４】
そして、ヨーク３は、有底筒状のヨーク本体４と、ヨーク本体４の周壁に沿って嵌合される補助ヨーク５とを備えている。
【０００５】
この補助ヨーク５は、主にプレス加工で成形されて肉厚が薄いものであり、ヨーク本体４から漏れる磁束を減衰させるために備えられている。
【０００６】
また、図１８に示したように、補助ヨーク５は、その上端５ａから下端５ｂに到るまで開口する開口部５ｃを有する断面略Ｃ字型の筒状体となっている。
【０００７】
この開口部５ｃは補助ヨーク５をヨーク本体４に嵌合させるために設けられているものであり、開口部５ｃを拡げて補助ヨーク５を周方向に拡大させて、その中空部分にヨーク本体４を挿入することにより補助ヨーク５のヨーク本体４への嵌合が可能となっている。
【０００８】
なお、この電動モータ１では、漏れ磁束を減少させるためのスリット５ｄが補助ヨーク５に設けられている。
【０００９】
また、補助ヨークを筒状として、この補助ヨークをヨーク本体の外周に圧入することにより、又は溶接により固定するようにした電動モータも知られている（例えば、特許文献２参照）。
【００１０】
【特許文献１】
特開平４−１９０６４６号公報（第１−２頁、第２図）
【特許文献２】
特許第２７９３６５３号特許公報（第４頁、第３図）
【００１１】
【発明が解決しようとする課題】
しかしながら、電動モータ１においては、補助ヨーク５がヨーク本体４を狭持しているだけなので、補助ヨーク５がヨーク本体４の周壁上を移動し、位置が安定しないという問題があった。
【００１２】
更に、補助ヨークをヨーク本体に圧入しても、必ずしも補助ヨークの位置が安定するわけではなく、また、補助ヨークをヨーク本体に溶接すれば、溶接作業に伴う作業工数の増大を免れなかった。
【００１３】
そこで、例えば図１９、図２０に示すように、ヨーク本体６に係止開口６ａを設け、この係止開口６ａに補助ヨーク７に設けた係止片７ａを係合して補助ヨーク７をヨーク本体６に固定することも考えられる。
【００１４】
しかしながら、係止片７ａは、係止開口６ａに到るまでヨーク本体６の周壁を乗り越えなければ係止開口６ａに係合することはできず、組み付けの際に係止片７ａがヨーク本体６の周壁を傷付ける虞がある。
【００１５】
このため、ヨーク本体６の周壁を傷付けずに組み付けるためには、補助ヨーク７を大径に拡開させてヨーク本体６に組み付けなければならず、組み付け作業が面倒である。
【００１６】
更に、この補助ヨーク７をヨーク本体６に組み付けてから切り込みを入れて係止片７ａを設けてもよいが、切り込みを入れる際に発生する切り粉が電動モータに悪影響を及ぼす虞がある。
【００１７】
そこで、本発明は、このような従来の課題に着目してされたものであり、簡単な組み付け作業でヨーク本体の周壁上に補助ヨークを確実に固定できるような電動モータ、及びその電動モータの製造方法の提供を目的とするものである。
【００１８】
【課題を解決するための手段】
前記目的を達成するために、請求項１記載の発明は、永久磁石と、該永久磁石を内側壁に沿わせて保持する筒状のヨークとを有する電動モータであって、
前記ヨークは、一端に底部を一体に設けた有底筒状のヨーク本体と、該ヨーク本体の周壁に沿って嵌合される筒状の補助ヨークとを備え、前記ヨーク本体又は該補助ヨークのうち、一方の周壁には、係止開口が形成され、前記ヨーク本体又は前記補助ヨークの他方の周壁には、前記係止開口方向へ向けて変形可能な変形帯部が形成され、該変形帯部は、前記ヨーク本体および前記補助ヨークが相互に嵌合された状態で前記係止開口内に没入するように押圧変形されることを特徴とする。
【００１９】
このように構成された請求項１記載のものでは、前記ヨーク本体および前記補助ヨークが相互に嵌合された状態で、前記変形帯部を押圧変形させて前記係止開口内に没入すれば、ヨーク本体の周壁上で補助ヨークが移動しない。
【００２０】
このため、前記補助ヨークは前記ヨーク本体に確実に固定される。
【００２１】
また、請求項２に記載の発明は、前記補助ヨーク又は、前記ヨーク本体のうち少なくとも何れか一方には、前記係止開口に前記変形帯部が対向する相対位置で、他方に対して当接して移動を停止させるストッパ部が設けられていることを特徴とする請求項１記載の電動モータである。
【００２２】
このように構成された請求項２記載のものでは、前記一方の前記ストッパ部を前記他方に当接させて移動を停止させれば、前記係止開口に前記変形帯部が対向して該変形帯部を前記係止開口内に没入可能な位置に停止する。
【００２３】
このため、前記係止開口に前記変形帯部を対向させるための位置決め作業が容易であり、しかも、前記係止開口が隠れて外部から位置が確認できない場合でも前記係止開口に前記変形帯部を対向させて該変形帯部を前記係止開口内に没入するように押圧変形できるため、前記ヨーク本体と前記補助ヨークとの組み付けが容易である。
【００２４】
また、請求項３に記載の発明は、前記変形帯部には、前記係止開口の周縁に摺接して、前記ストッパ部の当接方向に押圧力を付勢する傾斜辺が設けられていることを特徴とする請求項２の電動モータである。
【００２５】
このように構成された請求項３記載のものでは、前記変形帯部を前記係止開口内に没入すると、前記傾斜辺が前記ストッパ部の当接方向に押圧力を付勢し、前記ストッパ部の前記他方への当接が維持される。
【００２６】
このため、前記ヨーク本体の周壁上における前記補助ヨークの前記当接方向への移動を、更に確実に防止できる。
【００２７】
また、請求項４に記載の発明は、有底筒状のヨーク本体に、筒状の補助ヨークを、該ヨーク本体の周壁に沿って嵌合させる際、前記ヨーク本体に対して、前記補助ヨークを相対回転させて、前記ストッパ部を他方に対して当接させることにより、前記変形帯部を、前記係止開口に対向させて、該係止開口内に没入するように押圧変形させることを特徴とする請求項２記載の電動モータの製造方法である。
【００２８】
このように構成された請求項４記載のものでは、前記ヨーク本体に対して、前記補助ヨークを相対回転させて、前記ストッパ部を他方に対して当接させれば、前記変形帯部が前記係止開口に対向する。
【００２９】
そして、該変形帯部を前記係止開口内に没入するように押圧変形させるだけで容易に前記ヨーク本体と前記補助ヨークとの組み付けができる。
【００３０】
【発明の実施の形態】
本発明の実施の形態を図を参照して説明する。
【００３１】
まず、図１ないし図１３に基づいて電動モータ１０の構成について説明する。
【００３２】
図１に示したように、電動モータ１０は、一対の永久磁石１１、１１と、この永久磁石１１、１１を内側壁１２ａに沿わせて保持する筒状のヨーク１２と、ヨーク１２の下方開口部を覆うように設けられた軸受けハウジング１５と、ヨーク１２の中心に挿通する回転駆動軸１６と、回転駆動軸１６の中間部分の周囲に固定されたロータ１８と、ヨーク１２及び軸受けハウジング１５とを保持して取付対象物に固定するための取付ブラケット２２と、から主に構成されている。
【００３３】
永久磁石１１、１１は、ヨーク１２の軸方向略中間部で直径方向反対側に位置するように、それぞれ保持されている。
【００３４】
また、ヨーク１２は、上端（一端）に底部１３ａを一体に設けた有底筒状のヨーク本体１３と、ヨーク本体１３の周壁１３ｂに沿って嵌合される筒状の補助ヨーク１４とを備えている。
【００３５】
図２に示したように、このヨーク本体１３の底部１３ａは、側面視で上端を平面とした略円錐形状を呈している。
【００３６】
そして、図３に示すように、排気孔１３ｃ、１３ｃ・・・は底部１３ａの中心から等距離の位置に、それぞれ一定の間隔をおいて設けられている。
【００３７】
更に、底部１３ａの中央部分は、図１に示すように、断面逆ハット状に下方に向けて没入されている。
【００３８】
また、図４に示すように、ヨーク本体１３の周壁（一方の周壁）には、ヨーク本体１３の中心軸を挟んで対向する位置に長方形帯状の係止開口１３ｄ、１３ｄが開口形成されている。
【００３９】
そして、ヨーク本体１３の下端１３ｅには、下方に突出した突片１３ｆ、１３ｆ・・・が設けられており、この突片１３ｆ、１３ｆ・・・は前記軸受ハウジング１５を係止することができるようになっている。
【００４０】
また、図５に示すように、補助ヨーク１４は、その上縁１４ａから下縁１４ｂに到るまで帯状に開口する開口部１４ｃを有している。
【００４１】
更に、補助ヨーク１４の周壁（他方の周壁）には、図６に示すように、補助ヨーク１４の中心軸を挟んで対向する位置に２つの変形帯部１４ｄが形成されている。
【００４２】
この変形帯部１４ｄは、図７に示すように、中央架橋部１４ｄ１と、左右に設けられた台形部１４ｄ２、１４ｄ２とを有している。
【００４３】
そして、中央架橋部１４ｄ１の幅Ｈ１は、係止開口１３ｄの幅Ｈ２より狭くなっている。
【００４４】
更に、変形帯部１４ｄの左右端の幅Ｈ３は係止開口１３ｄの幅Ｈ２より広くなっており、台形部１４ｄ２には、相離れる方向に向かって変形帯部１４ｄが幅広となるように傾斜する傾斜辺１４ｄ３が形成されている。
すなわち、変形帯部１４ｄには、傾斜辺１４ｄ３、１４ｄ３が上下辺に左右対象となるようにそれぞれ一組ずつ設けられている。
【００４５】
このため、補助ヨーク１４中心方向（係止開口１３ｄ方向）へ向けて変形帯部１４ｄを押圧変形して係止開口１３ｄに没入させれば、４つの傾斜辺１４ｄ３が係止開口１３ｄの周縁に摺接して係止開口１３ｄの周縁に押圧力を付勢する。
【００４６】
更に、図９に示すように、補助ヨーク１４の下縁１４ｂには、ストッパ部１４ｆ、１４ｆが、それぞれ補助ヨーク１４の中心軸を挟んで対向する位置に設けられている。
【００４７】
このストッパ部１４ｆ、１４ｆは、補助ヨーク１４の下方から中心方向に向けて略Ｌ字状に屈曲した形状となっており、嵌合方向（軸方向上方）に向けてのヨーク１３の移動においてはヨーク本体１３の下端１３ｅに当接して補助ヨーク１４の移動を停止させると共に、この下端１３ｅに沿ってスライド移動可能で側面を前記突片１３ｆに当接させて周方向右（回転方向）への補助ヨーク１４の移動を停止させるようになっている。
【００４８】
更に、このストッパ部１４ｆ、１４ｆをヨーク本体１３の突片１３ｆ、１３ｆに当接させたときには、前記係止開口１３ｄに変形帯部１４ｄが対向する相対位置となるように設けられている。
【００４９】
そして、図１に示したように、電動モータ１０は、このように構成されたヨーク本体１３及び補助ヨーク１４が相互に嵌合された状態で、変形帯部１４ｄが押圧変形されて係止開口１３ｄ内に没入されている。
【００５０】
また、軸受ハウジング１５は、ヨーク本体１３の突片１３ｆ、１３ｆ・・・に係止されている。
【００５１】
そして、回転駆動軸１６は、軸受ハウジング１５の中心部及び底部１３ａの中心部に設けられた滑り軸受１７、１７により回転自在に支持されている。
【００５２】
また、ロータ１８は、回転駆動軸１６の中間部分の周囲に固定されている。
【００５３】
このロータ１８は、積層鋼板製のコア１８ａの外周壁の円周方向複数個所に設けたスロット１８ｂ、１８ｂにコイル１８ｃ、１８ｃを巻回した構成となっている。
【００５４】
更に、ロータ１８と軸受ハウジング１５との間には、コイル１８ｃ、１８ｃに通電する為のコミンテータ１９が固定されている。
【００５５】
そして、コミンテータ１９の外方には、図示しないブラシ基板を介して、合成樹脂等の絶縁材により造った２個のブラシホルダ２０が固定されている。
【００５６】
また、これらブラシホルダ２０内には、ブラシ２１がヨーク１２の半径方向に変位自在に収納されており、このブラシ２１は、それぞれヨーク１２の外周壁に設けられた図示しないカプラーの端子と導通されている。
【００５７】
更に、ブラシ２１は、ブラシホルダ２０内に支持されたばね２０ａによりヨーク１２の中心方向に付勢され、ブラシ２１の内端面がコミンテータ１９の外周壁と弾性的に接触している。
【００５８】
また、底部１３ａには、冷却用の空気を排出する為の複数の排気孔１３ｃ、１３ｃ・・・が設けられている。
【００５９】
そして、軸受ハウジング１５の一部には、上記空気をヨーク１２内に送り込む為の内側吸気孔１５ａが設けられている。
【００６０】
また、取付ブラケット２２は、筒状のブラケット本体部２２ａと、底面２２ｂとを有する有底円筒状となっており、この取付ブラケット２２内にヨーク１２が嵌合されて、ヨーク１２が収納されている。
【００６１】
また、取付ブラケット２２はブラケット本体部２２ａから半径方向に延設されたフランジ２２ｃを有しており、このフランジ２２ｃをパネル等の取付対象物に固定することにより電動モータ１０を取付対象物に取り付けることが可能となっている。
【００６２】
次に、電動モータ１０の製造方法におけるヨーク１２の組み付けに沿って、本実施形態の電動モータ１０が奏する作用効果について説明する。
【００６３】
まず、ヨーク本体１３の内側壁に沿わせて永久磁石１１、１１を保持させ、更に、図９に示すように、ヨーク本体１３の下端１３ｅ側から、ヨーク本体１３の周壁に沿って補助ヨーク１４を上縁１４ａ側から被せるように嵌合させる。
【００６４】
このとき、補助ヨーク１４のストッパ部１４ｆ、１４ｆがヨーク本体１３の下端１３ｅに対して当接する。
【００６５】
このため、ヨーク本体１３に対する補助ヨーク１４の嵌合方向（図９における軸方向上方）の移動は停止する。
【００６６】
更に、補助ヨーク１４をヨーク本体１３に対して相対回転させる。
【００６７】
このとき、図１０ないし図１２に示すように、ストッパ部１４ｆ、１４ｆはヨーク本体１３の突片１３ｆ、１３ｆに対して当接する。
【００６８】
このため、ヨーク本体１３に対する補助ヨーク１４の回転方向（図９における周方向右）への移動は停止する。
【００６９】
そして、このようにストッパ部１４ｆ、１４ｆを突片１３ｆ、１３ｆに当接させれば、ヨーク本体１３の係止開口１３ｄに補助ヨーク１４の変形帯部１４ｄが対向する相対位置となる。
【００７０】
更に、図１３、図１４に示すように、係止開口１３ｄに対向した変形帯部１４ｄ、１４ｄを、係止開口１３ｄ内に没入するように押圧変形させる。
【００７１】
このように変形帯部１４ｄを係止開口１３ｄ内に没入させれば、変形帯部１４ｄと係止開口１３ｄとが係合し、補助ヨーク１４が、ヨーク本体１３の周壁上を移動しない。
【００７２】
更に、本実施例の電動モータ１０では変形帯部１４ｄに４つの傾斜辺１４ｄ３が設けられているため、この４つの傾斜辺１４ｄ３が係止開口１３ｄの周縁に摺接して係止開口１３ｄの周縁に押圧力を付勢する。
【００７３】
すなわち、図７に示したように、変形帯部１４ｄの上辺に位置する２つの傾斜辺１４ｄ３は、係止開口１３ｄの周縁に対して上方向に押圧力を付勢すると共に、それぞれ左方向又は右方向に押圧力を付勢する（図７において、矢印は傾斜辺１４ｄ３が係止開口１３ｄの周縁に押圧力を付勢する方向を示している）。
【００７４】
一方、変形帯部１４ｄの下辺に位置する２つの傾斜辺１４ｄ３は、係止開口１３ｄの周縁に対して下方向に押圧力を付勢すると共に、それぞれ左方向又は右方向に押圧力を付勢する。
【００７５】
このため、電動モータ１０では、４つの傾斜辺１４ｄ３がそれぞれ係止開口１３ｄの周縁に４点で摺接して軸方向及び周方向に押圧力を付勢するため、補助ヨーク１４のヨーク本体１３の周壁上での移動を、更に、確実に防止することができる。
【００７６】
したがって、本実施形態の電動モータ１０は、ヨーク本体１３（一方）の周壁に形成された係止開口１３ｄに、補助ヨーク１４（他方）の周壁に形成された変形帯部１４ｄを押圧変形して没入するだけで、補助ヨーク１４のヨーク本体１３の周壁上での移動を防ぐことができ、補助ヨーク１４をヨーク本体１３に固定することができる。
【００７７】
すなわち、電動モータ１０は、容易な作業で補助ヨーク１４のヨーク本体１３の周壁上での移動を防ぐことができるものである。
【００７８】
しかも、このように補助ヨーク１４をヨーク本体１３に固定すれば、電動モータ１０をパネル等の取付対象物に取り付けて駆動させたときに、ヨーク本体１３が取付ブラケット２２に収納固定された補助ヨーク１４内で移動せず、電動モータ１０の据え付けが安定するものである。
【００７９】
また、電動モータ１０は、ストッパ部としてのストッパ部１４ｆ、下端１３ｅ、突片１３ｆが、係止開口１３ｄに変形帯部１４ｄが対向する相対位置となるように補助ヨーク１４の移動を停止させるため、係止開口１３ｄに変形帯部１４ｄを没入するための位置決めが容易なものである。
【００８０】
【変形例１】
図１５は、この発明の実施の形態の変形例１を示すものである。
【００８１】
なお、前記実施の形態と同一ないし均等な部分については、同一符号を付して説明する。
【００８２】
本変形例１の電動モータ１０では、変形帯部１１４ｄの下辺に左右対象となるように傾斜辺１４ｄ３、１４ｄ３が設けられている。
【００８３】
そして、変形帯部１１４ｄの上辺は直線状となっている。
【００８４】
この変形帯部１１４ｄを押圧変形してヨーク本体１３の係止開口１３ｄに没入すれば、変形帯部１１４ｄと係止開口１３ｄとが係合し、補助ヨーク１４が、ヨーク本体１３の周壁上を移動することはない。
【００８５】
更に、変形帯部１１４ｄの下辺に設けられた傾斜辺１４ｄ３は、係止開口１３ｄの周縁に対して下方向に押圧力を付勢すると共に、それぞれ左方向又は右方向右に押圧力を付勢する。
【００８６】
ここで、傾斜辺１４ｄ３が係止開口１３ｄの周縁に対して下方向に押圧力を付勢すると、補助ヨーク１４にはヨーク本体１３に対して相対的に嵌合方向（軸方向上方）に移動する付勢力が作用する。
【００８７】
その一方、補助ヨーク１４のストッパ部１４ｆはヨーク本体１３の下端１３ｅに当接しており、補助ヨーク１４は嵌合方向へ移動しないようになっている。
【００８８】
すなわち、ストッパ部１４ｆが下端１３ｅに当接する方向（ストッパ部の当接方向）に傾斜辺１４ｄ３が係止開口１３ｄの周縁に対して押圧力を付勢する。
【００８９】
このため、ヨーク本体１３の周壁に沿って嵌合された補助ヨーク１４は、ヨーク本体１３の周壁上を軸方向に移動することがない。
【００９０】
また、傾斜辺１４ｄ３が、係止開口１３ｄの周縁に対してそれぞれ左方向又は右方向に押圧力を付勢しているため、補助ヨーク１４は、ヨーク本体１３の周壁上を周方向に移動することはない。
【００９１】
したがって、本変形例１の電動モータ１０は、ヨーク本体１３の周壁に形成された係止開口１３ｄに、補助ヨーク１４の周壁に形成された変形帯部１１４ｄを押圧変形して没入するだけで、補助ヨーク１４のヨーク本体１３の周壁上での移動を確実に防ぐことができ、補助ヨーク１４をヨーク本体１３に固定することができる。
【００９２】
他の構成、および作用効果については、前記実施の形態と同一ないし均等であるので説明を省略する。
【００９３】
【変形例２】
図１６は、この発明の実施の形態の変形例２を示すものである。
【００９４】
なお、前記実施の形態と同一ないし均等な部分については、同一符号を付して説明する。
【００９５】
本変形例２の電動モータ１０では、変形帯部２１４ｄの下辺左側に傾斜辺１４ｄ３が設けられている。
【００９６】
そして、変形帯部２１４ｄの下辺右側及び上辺は直線状となっている。
【００９７】
この変形帯部２１４ｄを押圧変形してヨーク本体１３の係止開口１３ｄに没入すれば、変形帯部２１４ｄと係止開口１３ｄとが係合し、補助ヨーク１４がヨーク本体１３の周壁上を移動することはない。
【００９８】
更に、変形帯部２１４ｄの下辺左側に設けられた傾斜辺１４ｄ３は、係止開口１３ｄの周縁に対して下方向に押圧力を付勢すると共に、左方向に押圧力を付勢する。
【００９９】
ここで、傾斜辺１４ｄ３が係止開口１３ｄの周縁に対して下方向に押圧力を付勢すると、補助ヨーク１４にはヨーク本体１３に対して相対的に嵌合方向（軸方向上方）に移動する付勢力が作用する。
【０１００】
その一方、補助ヨーク１４のストッパ部１４ｆはヨーク本体１３の下端１３ｅに当接しており、補助ヨーク１４の嵌合方向への移動は停止するようになっている。
【０１０１】
すなわち、ストッパ部１４ｆが下端１３ｅに当接する方向（ストッパ部の当接方向）に傾斜辺１４ｄ３が係止開口１３ｄの周縁に対して押圧力を付勢する。
【０１０２】
このため、ヨーク本体１３の周壁に沿って嵌合された補助ヨーク１４は、ヨーク本体１３の周壁上を軸方向に移動することがない。
【０１０３】
また、傾斜辺１４ｄ３が係止開口１３ｄの周縁に対して左方向に押圧力を付勢すると、補助ヨーク１４にはヨーク本体１３に対して相対的に周方向右に移動する付勢力が作用する。
【０１０４】
その一方、補助ヨーク１４のストッパ部１４ｆはヨーク本体１３の突片１３ｆに当接しており、補助ヨーク１４の周方向右への移動は停止するようになっている。
【０１０５】
すなわち、ストッパ部１４ｆが突片１３ｆに当接する方向（ストッパ部の当接方向）に傾斜辺１４ｄ３が係止開口１３ｄの周縁に対して押圧力を付勢する。
【０１０６】
このため、ヨーク本体１３の周壁に沿って嵌合された補助ヨーク１４は、ヨーク本体１３の周壁上を周方向に移動することがない。
【０１０７】
したがって、本変形例２の電動モータ１０は、ヨーク本体１３の周壁に形成された係止開口１３ｄに、補助ヨーク１４の周壁に形成された変形帯部２１４ｄを押圧変形して没入するだけで、補助ヨーク１４のヨーク本体１３の周壁上での移動を確実に防ぐことができ、補助ヨーク１４をヨーク本体１３に固定することができる。
【０１０８】
他の構成、および作用効果については、前記実施の形態と同一ないし均等であるので説明を省略する。
【０１０９】
以上、この発明の実施の形態を図により説明してきたが、具体的な構成はこの実施例に限らず、この発明の要旨を逸脱しない範囲の設計の変更があってもこの発明に含まれる。
【０１１０】
例えば、実施の形態では、ヨーク１２に係止開口１３ｄ及び変形帯部１４ｄを二対設けているが、一対でも良く、また、三対以上設けてもよい。
【０１１１】
また、係止開口及び変形帯部の形状や大きさも実施の形態のものに限定されるものではない。
【０１１２】
更に、補助ヨーク１４には開口部１４ｃが設けられているが、必ずしも開口部１４ｃが設けられていなくてもよい。
【０１１３】
【発明の効果】
以上説明したように、請求項１記載の電動モータであれば、前記ヨーク本体又は該補助ヨークのうち、一方の周壁に形成された係止開口に、他方の周壁に形成された変形帯部を押圧変形して没入するだけで、ヨーク本体の周壁上で補助ヨークが移動しない。
【０１１４】
このため、前記補助ヨークは前記ヨーク本体に確実に固定される。
【０１１５】
また、請求項２に記載の電動モータであれば、前記補助ヨーク又は前記ヨーク本体のうち少なくとも何れか一方に設けられたストッパ部を、前記他方に当接させて移動を停止させれば、前記係止開口に前記変形帯部が対向して該変形帯部を前記係止開口内に没入するように押圧変形できる。
【０１１６】
このため、前記係止開口に前記変形帯部を対向させるための位置決め作業が容易であり、しかも、前記係止開口が隠れて外部から位置が確認できない場合でも前記係止開口に前記変形帯部を対向させて該変形帯部を前記係止開口内に没入するように押圧変形できるため、前記ヨーク本体と前記補助ヨークとの組み付けが容易である。
【０１１７】
また、請求項３に記載の電動モータであれば、前記変形帯部を前記係止開口内に没入すると、前記変形帯部に設けられた傾斜辺が前記係止開口の周縁に摺接して前記ストッパ部の当接方向に押圧力を付勢し、前記ストッパ部の前記他方への当接が維持される。
【０１１８】
このため、前記ヨーク本体の周壁上における前記補助ヨークの前記当接方向への移動を、更に確実に防止できる。
【０１１９】
また、請求項４に記載の電動モータの製造方法であれば、前記ヨーク本体に対して、前記補助ヨークを相対回転させて、前記ストッパ部を他方に対して当接させれば、前記変形帯部が前記係止開口に対向する。
【０１２０】
そして、該変形帯部を前記係止開口内に没入するように押圧変形させるだけで容易に前記ヨーク本体と前記補助ヨークとの組み付けができるため、ヨークの組み付けが容易な電動モータの製造方法である。
【図面の簡単な説明】
【図１】本発明の電動モータの断面図である。
【図２】本発明の電動モータが有するヨークが備えるヨーク本体の側面図である。
【図３】本発明の電動モータが有するヨークが備えるヨーク本体の下面図である。
【図４】本発明の電動モータが有するヨークが備えるヨーク本体の斜視図である。
【図５】本発明の電動モータが有するヨークが備える補助ヨークの側面図である。
【図６】本発明の電動モータが有するヨークが備える補助ヨークの斜視図である。
【図７】本発明の変形帯部の傾斜辺が係止開口の周縁に付勢する押圧力を示した作用図である。
【図８】本発明の電動モータが有するヨークが備える補助ヨークの下面図である。
【図９】本発明の電動モータの製造方法におけるヨークの組み付け方法の説明図である。
【図１０】本発明の電動モータが有するヨークの下面図である。
【図１１】本発明の電動モータが有するヨークの側面図である。
【図１２】本発明の電動モータが有するヨークの図１０におけるＡ−Ａ線に沿った断面図である。
【図１３】本発明の電動モータが有するヨークの図１１におけるＢ−Ｂ線に沿った断面図である。
【図１４】本発明の電動モータが有するヨークの斜視図である。
【図１５】本発明の変形例１のヨークの側面図である。
【図１６】本発明の変形例２のヨークの側面図である。
【図１７】従来例（１）の電動モータの断面図である。
【図１８】従来例（１）の電動モータの補助ヨークの斜視図である。
【図１９】従来例（２）の電動モータの側面図である。
【図２０】従来例（２）の電動モータの図１９におけるＣ−Ｃ線に沿った断面図である。
【符号の説明】
１０　電動モータ
１１　永久磁石
１２　ヨーク
１３　ヨーク本体
１３ａ　底部
１３ｂ　周壁
１３ｄ　係止開口
１３ｅ　下端
１３ｆ　突片
１４　補助ヨーク
１４ｄ　変形帯部
１４ｄ３　傾斜辺
１４ｆ　ストッパ部
【図１】
2004112880.tif 000003
【図２】
2004112880.tif 000004
【図３】
2004112880.tif 000005
【図４】
2004112880.tif 000006
【図５】
2004112880.tif 000007
【図６】
2004112880.tif 000008
【図７】
2004112880.tif 000009
【図８】
2004112880.tif 000010
【図９】
2004112880.tif 000011
【図１０】
2004112880.tif 000012
【図１１】
2004112880.tif 000013
【図１２】
2004112880.tif 000014
【図１３】
2004112880.tif 000015
【図１４】
2004112880.tif 000016
【図１５】
2004112880.tif 000017
【図１６】
2004112880.tif 000018
【図１７】
2004112880.tif 000019
【図１８】
2004112880.tif 000020
【図１９】
2004112880.tif 000021
【図２０】
2004112880.tif 000022